Podtech/llm-jp-corpus-v4-ja_patent huggingface dataset:
【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
遊技機の遊技盤面における所定エリアにその背面から動画像を投射表示し、前記所定エリアを除く前記遊技盤面にその背面から静止画像を投射表示する表示方法であって、
前記動画像を投射表示する前記所定エリアの面積、位置および数をそれぞれパラメータとして当該各パラメータの１以上を当該動画像および前記静止画像の表示中に所定のタイミングで変更して投射表示する表示方法。
【請求項２】
前記遊技機における遊技状態の変化時点を前記所定のタイミングとして前記各パラメータの１以上を変更して投射表示する請求項１記載の表示方法。
【請求項３】
前記遊技機に対して遊技者が所定の距離だけ接近または離間した時点を前記所定のタイミングとして前記各パラメータの１以上を変更して投射表示する請求項１または２記載の表示方法。
【請求項４】
前記遊技機の遊技機情報を表す遊技機情報画像を前記静止画像として投射表示する請求項１から３のいずれかに記載の表示方法。
【請求項５】
前記動画像および前記静止画像の少なくとも一方として放送または配信された画像を投射表示する請求項１から４のいずれかに記載の表示方法。
【請求項６】
遊技機の遊技盤面にその背面から画像を投射表示可能に構成された投射機構と、前記投射機構に対して前記遊技盤面における所定エリアに動画像を投射表示させると共に当該投射機構に対して当該所定エリアを除く当該遊技盤面に静止画像を投射表示させる制御部とを備えた遊技機用表示装置であって、
前記制御部は、前記動画像を表示する前記所定エリアの面積、位置および数をパラメータとして当該各パラメータの１以上を当該動画像および前記静止画像の表示中所定のタイミングで変更して前記投射機構に対して投射表示させる遊技機用表示装置。
【請求項７】
前記制御部は、前記遊技機における遊技状態の変化時点を前記所定のタイミングとして前記各パラメータの１以上を変更して前記投射機構に対して投射表示させる請求項６記載の遊技機用表示装置。
【請求項８】
前記遊技機の遊技機情報を表す遊技機情報画像を入力可能に構成され、
前記制御部は、前記遊技機情報画像を前記静止画像として前記投射機構に対して投射表示させる請求項６から７のいずれかに記載の遊技機用表示装置。
【請求項９】
放送または配信された画像を入力可能に構成され、
前記制御部は、前記動画像および前記静止画像の少なくとも一方として前記放送または配信された画像を前記投射機構に対して投射表示させる請求項６から８のいずれかに記載の遊技機用表示装置。
【請求項１０】
前記制御部は、人感センサによって出力されたセンサ信号に基づいて前記遊技機に対して遊技者が所定距離内に接近したと判別した時点、および当該センサ信号に基づいて前記遊技者が前記遊技機から前記所定距離よりも離間したと判別した時点の少なくとも一方を前記所定のタイミングとして前記各パラメータの１以上を変更して前記投射機構に対して投射表示させる請求項６から９のいずれかに記載の遊技機用表示装置。
【請求項１１】
請求項６から９のいずれかに記載の遊技機用表示装置と、当該遊技機用表示装置に対して前記動画像および前記静止画像を投射表示させる主制御部とを備えている遊技機。
【請求項１２】
当該遊技機に対して遊技者が所定距離内に接近したか否かを判別可能なセンサ信号を出力する人感センサを備え、
前記主制御部は、前記人感センサによって出力されたセンサ信号に基づいて前記遊技機に対して遊技者が所定距離内に接近したと判別した時点、および当該センサ信号に基づいて前記遊技者が前記遊技機から前記所定距離よりも離間したと判別した時点の少なくとも一方を前記所定のタイミングとして前記遊技機用表示装置に対して前記各パラメータのうちの１以上を変更して前記動画像および前記静止画像を投射表示させる請求項１１記載の遊技機。
【手続補正書】
【提出日】平成16年4月7日(2004.4.7)
【手続補正１】
【補正対象書類名】明細書
【補正対象項目名】請求項１７
【補正方法】変更
【補正の内容】
【請求項１７】
前記照明制御手段は、前記リール窓で振動する図柄が振動中心以外の特定位置に位置したタイミングで前記内側照明手段および前記外側照明手段による図柄照明を実行し、前記内側照明手段および前記外側照明手段による図柄照明の実行タイミングが同じであることを特徴とする請求項１４に記載のスロットマシン。
【手続補正２】
【補正対象書類名】明細書
【補正対象項目名】００２４
【補正方法】変更
【補正の内容】
【００２４】
（４−１）照明制御手段が、リール窓で振動する図柄が振動中心に位置したタイミングで内側照明手段および外側照明手段による図柄照明を実行したり、
（４−２）照明制御手段が、リール窓で振動する図柄が振動中心に位置したタイミングで内側照明手段および外側照明手段のうち一方による図柄照明を実行し、リール窓で振動する図柄が振動中心以外の特定位置に位置したタイミングで内側照明手段および外側照明手段のうちの他方による図柄照明を実行したり、
（４−３）照明制御手段が、リール窓で振動する図柄が振動中心以外の特定位置に位置したタイミングで内側照明手段および外側照明手段による図柄照明を実行し、そのとき内側照明手段および外側照明手段による図柄照明の実行タイミングが同じであるようにしたり、
（４−４）照明制御手段が、リール窓で振動する図柄が振動中心以外の特定位置に位置したタイミングで内側照明手段および外側照明手段による図柄照明を実行し、内側照明手段による図柄照明の実行タイミングと、外側照明手段による図柄照明の実行タイミングとがずれているようにする、
という態様がある。ここで、リールの外周は不透明あるいは半透明であり、図柄の一部分は不透明あるいは半透明であると、図柄の様々なパターンを得たり、表示位置を変えることができて好ましい。


【手続補正３】
【補正対象書類名】明細書
【補正対象項目名】００３３
【補正方法】変更
【補正の内容】
【００３３】
この補助リール４１の内側には、補助リール窓１３に向けて照明光を照射して補助リール４１の外周に設けられた図柄を照明する照明機構４３が配置されている。この照明機構４３は、図２に示すように、その前方（前面パネル５側）が放射状に開放したランプハウス４５と、３つの発光ダイオードやランプなどの光源４７、４９、５１とを備えている。なお、以下の説明の便宜から、必要に応じて光源４７、４９、５１をそれぞれ「上限照明用光源４７」、「中央照明用光源４９」および「下限照明用光源５１」と称する。


【手続補正４】
【補正対象書類名】明細書
【補正対象項目名】００４７
【補正方法】変更
【補正の内容】
【００４７】
ところで、この実施形態では、上記のようにして図柄を補助リール窓１３に表示させた後、補助リール４１を回転方向に振動させるとともに、照明機構４３による図柄の照明タイミングや照明位置を制御することで図柄表示を変更させることができる。以下、その代表的な態様について図４ないし図９を参照しつつ詳述する。なお、これらの図面（および後の第２実施形態で説明する図１１および図１２）中の最下段（ｃ）は補助リール４１を振動周期Ｐsで振動させた際の特定の図柄（ここでは「かえる」を特定図柄としている）ＦＧの位置変化を示すグラフであり、同図（ｃ）に示すように図柄ＦＧは振動周期Ｐsで上限位置と下限位置との間を移動している。また、中段（ｂ）は各照明タイミングでの図柄ＦＧの照明状態を模式的に示す図である。さらに、最上段（ａ）は補助リール窓１３に表示される図柄ＦＧの様子（表示状態）を示す模式正面図である。なお、特定図柄は「かえる」に限定されるものでないのは言うまでもない。


【手続補正５】
【補正対象書類名】明細書
【補正対象項目名】００７８
【補正方法】変更
【補正の内容】
【００７８】
（第３実施形態）
図１３は、この発明にかかるスロットマシンの第３実施形態を示すブロック図である。この第３実施形態にかかるスロットマシンが第１実施形態と相違する点は照明機構４３の構成である。すなわち、第１実施形態では振動方向（図２の符号Ａ方向）と平行に配列された３つの光源４７、４９、５１で照明機構４３が構成されているのに対し、第３実施形態では、図１３、図１４に示すように、内側照明手段である内部光源５７および外側照明手段である２個の外部光源５９により照明機構４３が構成されている。そして、補助制御手段２７０によって光源５７、５９の点灯／消灯を制御することで補助リール窓１３に位置する図柄をそれぞれ照明可能となっている。


【手続補正６】
【補正対象書類名】明細書
【補正対象項目名】０１０１
【補正方法】変更
【補正の内容】
【０１０１】
また、「かえる」の図柄ＦＧの表示位置が補助リール窓１３の中央位置よりも上方（または下方）に移動するように内部光源５７の点灯のタイミングを制御すると同時に、「星印」の図柄ＳＴの表示位置が、「かえる」の図柄ＦＧとは逆の補助リール窓１３の中央位置よりも下方（または上方）に移動するように外部光源５９の点灯のタイミングを制御することにより、さらに異なる演出状態を創出することができる。


【手続補正７】
【補正対象書類名】明細書
【補正対象項目名】符号の説明
【補正方法】変更
【補正の内容】
【符号の説明】
１…スロットマシン
５…前面パネル
１３…補助リール窓
１７…スタートレバー（スタート手段）
１９，２１，２３…ストップボタン（ストップ手段）
４１…補助リール
４３…照明機構（照明手段）
４７，４９，５１，５３，５５…光源
５７…内部光源（内側照明手段）
５９…外部光源（外側照明手段）
１９１…補助リール制御手段（駆動制御手段）
１９５…補助リールモータ（駆動制御手段）
２７３…照明制御手段
Ａ…回転方向（振動方向）
ＦＧ…「かえる」の図柄
ＳＴ…「星印」の図柄
Ｌ，Ｌｉ，Ｌｏ…照明光
Ｐs…振動周期
【手続補正書】
【提出日】平成16年2月25日(2004.2.25)
【手続補正１】
【補正対象書類名】特許請求の範囲
【補正対象項目名】全文
【補正方法】変更
【補正の内容】
【特許請求の範囲】
【請求項１】
作動口と、該作動口に遊技球が進入したことを必須条件として作動する装置とを備える弾球遊技機において、
遊技領域を上下方向について３等分して上から順に上位部、中位部、下位部とした際の前記上位部に前記作動口を配置し、
前記作動口に遊技球が進入したことを必須条件として作動する装置としての役物を、前記作動口の下方かつ該作動口の近傍に位置させた
ことを特徴とする弾球遊技機。
【請求項２】
請求項１記載の弾球遊技機において、
上から前記作動口、前記役物、前記作動口に遊技球が進入したことを必須条件として作動する装置としての図柄表示装置の画面の順に前記遊技領域に配置したことを特徴とする弾球遊技機。
【請求項３】
作動口と、該作動口に遊技球が進入したことを必須条件として作動する装置とを備える弾球遊技機において、
前記作動口を通過口とし、
前記作動口に遊技球が進入したことを必須条件として乱数値を抽出する乱数抽出手段を備え、
遊技領域を上下方向について３等分して上から順に上位部、中位部、下位部とした際の前記上位部に前記作動口を配置した
ことを特徴とする弾球遊技機。
【手続補正２】
【補正対象書類名】明細書
【補正対象項目名】０００４
【補正方法】変更
【補正の内容】
【０００４】
上記課題を解決するための請求項１記載の弾球遊技機は、作動口と、該作動口に遊技球が進入したことを必須条件として作動する装置とを備える弾球遊技機において、遊技領域を上下方向について３等分して上から順に上位部、中位部、下位部とした際の前記上位部に前記作動口を配置し、前記作動口に遊技球が進入したことを必須条件として作動する装置としての役物を、前記作動口の下方かつ該作動口の近傍に位置させたことを特徴とする。
【手続補正３】
【補正対象書類名】明細書
【補正対象項目名】０００８
【補正方法】変更
【補正の内容】
【０００８】
また、前記作動口に遊技球が進入したことを必須条件として作動する装置としての役物を前記作動口の下方かつ該作動口の近傍に位置させたので、遊技者には役物と作動口との因果関係が良く分かる。
特に、第３種と呼ばれる形態の従来のパチンコ機やアレンジボール式パチンコ機において、上から順に作動口、特定入賞口（特定入球口）、大入賞口と配置した場合には、作動口と特定入賞口との関係が明確になるとともに、作動口に入球すればその下方の特定入賞口が開放し、特定入賞口の特定領域を通過すれば権利発生して直接または間接に特定入賞口の下方の大入賞口が開放するというゲームの流れが良くなるという効果を有する。
【手続補正４】
【補正対象書類名】明細書
【補正対象項目名】０００９
【補正方法】変更
【補正の内容】
【０００９】
請求項２記載の弾球遊技機は、請求項１記載の弾球遊技機において、上から前記作動口、前記役物、前記作動口に遊技球が進入したことを必須条件として作動する装置としての図柄表示装置の画面の順に前記遊技領域に配置したことを特徴とする。
このように配置することで、入賞等に関係しない画面を遊技盤の下部に位置させて遊技領域を有効に利用でき、画面の枠部分を形成するセンターケースにワープ通路などを設ける必要がなくなる（センターケースの構造の単純化が可能になる）。
作動口を上にして、その下方に図柄表示装置の画面を配置することで、作動口へ遊技球の進入により図柄が変動するという時系列的な変化が上から下へと進行するので、それを認識するための視線の移動も上から下への動きとなる。従来はこの逆であったが、本発明のようにすることで視線の移動がより自然な流れとなり、遊技者の目に掛かる負担が軽減され、眼精疲労が少なくなる。
【手続補正５】
【補正対象書類名】明細書
【補正対象項目名】００１０
【補正方法】変更
【補正の内容】
【００１０】
作動口を上位部に配置すると作動口を直接狙いやすくなるが、この課題については、作動口の上方に、作動口の命釘の他に複数の遊技釘を植設することで解決できる。
命釘は入球口など（本発明では作動口）の入口の左右にて門柱状に対をなして配される遊技釘である。作動口の上方にこれらの他に複数の遊技釘を植設することで作動口への経路を適度に複雑化して、これを直接狙うのを適度に難しくできる。
【手続補正６】
【補正対象書類名】明細書
【補正対象項目名】００１１
【補正方法】変更
【補正の内容】
【００１１】
請求項３記載の弾球遊技機は、作動口と、該作動口に遊技球が進入したことを必須条件として作動する装置とを備える弾球遊技機において、前記作動口を通過口とし、前記作動口に遊技球が進入したことを必須条件として乱数値を抽出する乱数抽出手段を備え、遊技領域を上下方向について３等分して上から順に上位部、中位部、下位部とした際の前記上位部に前記作動口を配置したことを特徴とする。
【手続補正７】
【補正対象書類名】明細書
【補正対象項目名】００１３
【補正方法】変更
【補正の内容】
【００１３】
特に、前記作動口を通過口としているから作動口に入球しても賞球を伴わないので、たとえ狙われてもこれによって賞球が増加することはない。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正書】
【提出日】平成16年10月21日(2004.10.21)
【手続補正１】
【補正対象書類名】明細書
【補正対象項目名】請求項３
【補正方法】変更
【補正の内容】
【請求項３】
払い出されたメダルを受けるためのメダル受け部を備え、
このメダル受け部は、下扉とは別体として筐体ユニット下部に設けられ、下扉開放時に筐体ユニットに固定されたままとなっていることを特徴とする請求項２記載の遊技機。
【手続補正２】
【補正対象書類名】明細書
【補正対象項目名】００２３
【補正方法】変更
【補正の内容】
【００２３】
（請求項３）
（特徴点）
請求項３記載の発明は、上記した請求項２記載の発明の特徴点に加え、次の点を特徴とする。
すなわち、請求項３記載の発明は、払い出されたメダルを受けるためのメダル受け部(60)を備え、このメダル受け部(60)は、下扉(40)とは別体として筐体ユニット(1)下部に設けられ、下扉(40)開放時に筐体ユニット(1)に固定されたままとなっていることを特徴とする。
【手続補正書】
【提出日】平成17年8月19日(2005.8.19)
【手続補正１】
【補正対象書類名】明細書
【補正対象項目名】００２１
【補正方法】変更
【補正の内容】
【００２１】
一方、台間ユニット１４は、対応する遊技機１３における出玉状況等を表示するタッチパネル形式の玉数表示手段としてのモニタ１５と図示しない遊技カードを差し込むことが可能なカード挿入口１６と該カード挿入口１６に挿入された遊技カードによって借り受けることできる遊技玉を排出する玉貸ノズル１７が設けられている。カード挿入口１６の裏面には、カードリーダ１６ａ（図８参照）が設けられ、玉貸ノズル１７の裏面には玉貸装置１７ａ（図８参照）が設けられている。カード挿入口１６に挿入できる遊技カードは、遊技者がカード販売・更新機６によって購入した遊技玉貸出用の遊技カードや、あるいは会員専用の貯玉数（過去に当該遊技場で遊技して獲得した遊技玉数であって貯蓄した玉数）が記録された会員遊技カード等であって、いずれにしても遊技開始時にカード挿入口１６に遊技カードを差し込むことにより遊技を開始することができる。なお、上記したモニタ１５、カードリーダ１６ａ、玉貸装置１７ａは、制御基板Ｂ１０１によって制御されるものである。
【手続補正２】
【補正対象書類名】明細書
【補正対象項目名】００３０
【補正方法】変更
【補正の内容】
【００３０】
そこで、次に玉移送・返却装置５０について図２及び図４を参照して説明する。玉移送・返却装置５０は、直方体状のボックスの上部に前記玉箱１９及び中継樋２２から流出する遊技玉が流下する移送樋５１が傾斜状に形成され、その内部下方に計数済玉タンク６０から流入する遊技玉が流下する返却導入樋５３と、該返却導入樋５３を流下する遊技玉を揚送するミニコンベア５４と、ミニコンベア５４で揚送された遊技玉を前記返却玉通路４１，４４に導く返却樋５５が設けられている。また、移送樋５１の途中には、計数センサ５２が設けられて移送樋５１を流下する遊技玉を計数するようになっている。なお、この計数センサ５２は、玉箱１９と共に個別計数装置を構成するものであるが、必ずしも移送樋５１の途中に設ける必要はなく、玉箱１９から計数済玉タンク６０までの経路のどこかに設けていれば良い。例えば、中継樋２２に設けてあっても良い。また、移送樋５１の流下端は、ほぼ直角に曲がっており、計数済玉タンク６０の後述する誘導板６３に誘導されるようになっている。しかして、移送樋５１は、玉移送機構を構成するものであり、その上面が透明な取り外し可能な蓋で覆われて移送される遊技玉の移送状態が外部から視認できるように構成されているので、獲得した遊技玉が確実に貯留される経過を見ることができ、遊技者の達成感を満足させることができる。
【手続補正３】
【補正対象書類名】明細書
【補正対象項目名】００３６
【補正方法】変更
【補正の内容】
【００３６】
上流側の貯留空間が遊技玉で満杯になると、誘導板６３上を転動する遊技玉が誘導板６３の中ほどから中流域の貯留空間に落下して図６（Ｃ）に示すように中流域の貯留空間に遊技玉が貯留される。このとき、中流域の貯留空間と下流側の貯留空間との間の下部には、連通口６８が形成されているので、最初のうちは、連通口６８から下流側の貯留空間に遊技玉が流れるが、貯留される遊技玉が徐々に増加したときに連通口６８が遊技玉に塞がれて中流域の貯留空間に遊技玉が貯留されて満杯となる。さらに、中流域の貯留空間が遊技玉で満杯になると、誘導板６３上を転動する遊技玉が誘導板６３の上流部から下流側の貯留空間に落下して図６（Ｄ）に示すように下流側の貯留空間に遊技玉が貯留される。そして、下流側の貯留空間が遊技玉で満杯になるとそれ以上の遊技玉が貯留できないので、ミニコンベア５４を駆動して貯留空間に貯留される遊技玉を島ユニット１Ｂの貯留タンク３７に返却するようになっている。この点については、後に詳述する。
【手続補正４】
【補正対象書類名】明細書
【補正対象項目名】００３９
【補正方法】変更
【補正の内容】
【００３９】
上記した制御基板Ａ１００は、図８に示すように、各遊技機１３毎に対応して設けられる各種装置と接続されている。図８は、１つの制御基板Ａと接続される各種の装置との関係を示す配線図である。より詳細に説明すると、制御基板Ａ１００は、１つの遊技機１３に対応する発光ランマ９、呼出ランプ１０、大当り表示プレート装置８（プレート装置と表示）、発光天井ドーム７に駆動信号を与え、補給装置３３の計数カウンタから補給数を検出するための信号（現金機の場合、これを「セーフ信号」と言う）が入力され、遊技機１３の外部端子信号から発せられる各種の信号（例えば、大当り信号、確変信号、スタート信号（始動信号のこと）、賞球信号（ＣＲ機の場合、これを「セーフ信号」と言う）、不正信号等）が入力され、アウト計数装置の計数カウンタから打込数を検出するための信号（アウト信号）が入力される。また、制御基板Ａ１００は、台間ユニット１４に設けられる制御基板Ｂ１０１との間で各種の信号をやり取りする。制御基板Ｂ１０１は、台間ユニット１４に設けられるモニタ１５、カードリーダ１６ａ、玉貸装置１７ａを制御するものである。また、制御基板Ａ１００は、計数済玉タンク６０の冷陰極管装置６６に表示駆動信号を送り、満タンセンサ７０からの信号が入力されるようになっている。また、玉移送・返却装置５０の返却終了センサ５６からの信号が入力され、ミニコンベア５４を駆動する信号を出力する。なお、玉移送・返却装置５０に設けられる計数センサ５２及び計数値確認センサ５７は、制御基板Ｂ１０１に信号が入力されるようになっている。更に、島端に設けられる制御基板Ａ１００には、妻板２の第１表示部３及び第２表示部４に表示制御信号を出力するようになっている。
【手続補正５】
【補正対象書類名】明細書
【補正対象項目名】００４４
【補正方法】変更
【補正の内容】
【００４４】
次に、大当り遊技状態が発生して所定時間が経過したときには、第１表示部３は黄色の表示部が点滅し、第２表示部４は消灯したままであり、発光ランマ９は大当りとなった遊技機１３に対応するものだけがフラッシュ発光（速度の速い点滅）し、それ以外の発光ランマ９は消灯し、呼出ランプ１０は、遊技島１の一端から他端までのものが順次移動点灯するランナー制御され、発光天井ドーム７も大当りとなった遊技機１３に対応するものだけがフラッシュ発光し、それ以外の発光天井ドーム７は消灯し、冷陰極管装置６６も大当りとなった遊技機１３に対応するものだけが点滅し、それ以外の冷陰極管装置６６は消灯し、照明器１０４は、大当りとなった遊技機１３に対応するエリアのものだけが点滅し、それ以外のエリアの照明器１０４は若干暗い状態を維持している（消灯でも良い）。このように大当り遊技状態が発生して所定時間が経過したときには、大当り遊技状態となった遊技機１３に対応する電飾部材のみを点灯又は点滅して大当り遊技状態となった遊技機１３だけを浮かび上がらせるようにしている。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  遊技者により手動操作される各種操作部材を有する操作部と、球受皿を形成するための球受皿形成部材とを具備し、遊技機前面において前方に膨出させて前記操作部を設けるとともに、該操作部よりも下方で同じく前方に膨出させて前記球受皿形成部材を設けた遊技機であって、
遊技機前面には、前記操作部と前記球受皿形成部材とに囲まれるようにして音声発生手段を配置したことを特徴とする遊技機。
【請求項２】  前記操作部の下面を凹ませ、その凹部により形成された領域に前記音声発生手段を配置したことを特徴とする請求項１に記載の遊技機。
【請求項３】  前記音声発生手段を、遊技機正面から見て前記球受皿形成部材に重複しない領域に配置したことを特徴とする請求項１又は２に記載の遊技機。
【請求項４】  遊技に際して複数の図柄を可変表示するための可変表示手段と、該可変表示手段の停止図柄に応じて所定数の遊技球を払い出すための払出手段とを備え、遊技球の取込を開始条件として前記図柄を可変表示させるとともに、遊技者による停止操作手段の押圧操作に伴い前記図柄を停止させるよう構成したことを特徴とする請求項１乃至３のいずれかに記載の遊技機。
【請求項５】  球受皿を形成するための球受皿形成部材を上下２段に形成し、遊技機前面には、前記２段の球受皿形成部材に囲まれるようにして音声発生手段を配置したことを特徴とする請求項１乃至４のいずれかに記載の遊技機。
【請求項６】  前記音声発生手段は、前方正面から見て横長状をなすことを特徴とする請求項１乃至５のいずれかに記載の遊技機。
【請求項７】  遊技機前面にはその外周全体で環状をなしかつ前方に突出した環状部を設け、その環状部の一部に前記球受皿形成部材を設けたことを特徴とする請求項１乃至６のいずれかに記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  回転方向に沿って外歯が等間隔に設けられたローラと、表面に図柄が付されかつ前記ローラの外歯に対応するようにして係合穴が設けられた無端状ベルトとを具備し、ローラの外歯に無端状ベルトの係合穴を係合させた状態で、ローラの回転に伴い無端状ベルトを周回させるように構成し、前記無端状ベルトの手前位置には、遊技機正面からみて前記図柄を視認可能としかつ無端状ベルトの係合穴を視認不能または視認困難とする目隠手段を設けたことを特徴とする遊技機。
【請求項２】  回転方向に沿って外歯が等間隔に設けられたローラと、表面に図柄が付されかつ前記ローラの外歯に対応するようにして係合穴が設けられた無端状ベルトとを具備し、ローラの外歯に無端状ベルトの係合穴を係合させた状態で、ローラの回転に伴い無端状ベルトを周回させるように構成するとともに、無端状ベルトの一部を視認可能とする表示窓を設け、当該表示窓から前記図柄を視認できるようにし、無端状ベルトと表示窓との間には、表示窓を通じての前記図柄の視認を可能としかつ無端状ベルトの係合穴を視認不能または視認困難とする目隠手段を配設したことを特徴とする遊技機。
【請求項３】  前記ローラとして駆動ローラと従動ローラとを有し、それら各ローラの間に無端状ベルトを掛け渡すように構成し、駆動ローラ及び従動ローラの間のベルト周回域に前記目隠手段を配設したことを特徴とする請求項１又は２に記載の遊技機。
【請求項４】  前記目隠手段は、前記無端状ベルトに接触することがない程度に当該無端状ベルトに近接して設置したことを特徴とする請求項１乃至３のいずれかに記載の遊技機。
【請求項５】  前記ローラと前記無端状ベルトとを備えてなる回転体を複数並列に設け、前記目隠手段は、各回転体における無端状ベルトの係合穴を隠すよう各回転体の配列方向に延びるようにして共通に設けられていることを特徴とする請求項１乃至４のいずれかに記載の遊技機。
【請求項６】  前記ローラと前記無端状ベルトとを備えてなる回転体をフレーム部材内に収容し、当該フレーム部材の両側面に固定するようにして前記目隠手段を組み付けたことを特徴とする請求項１乃至５のいずれかに記載の遊技機。
【請求項７】  前記回転体及び目隠部材を組み付けたフレーム部材を遊技機本体に対して取り外し可能に取り付けたことを特徴とする請求項６に記載の遊技機。
【請求項８】  前記無端状ベルトを目隠手段より手前側からベルト表面を照明するためのフロントライト部材を備えたことを特徴とする請求項１乃至７のいずれかに記載の遊技機。
【請求項９】  前記目隠手段には、フロントライト部材からの光を中央方向へ集めるための集光板を設けたことを特徴とする請求項８に記載の遊技機。
【請求項１０】  前記フロントライト部材は、ベルト表面に対して面発光を行うものであることを特徴とする請求項８又は９に記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  球受皿に遊技球を貯留するとともに、該遊技球の取込に伴いその都度の遊技を実施するようにした遊技機において、
遊技機前面には少なくともその側部において前方に突出した突出部を設け、その突出部において前記球受皿近傍に前方への突出量を少なく或いは突出しないようにするための凹部を設けたことを特徴とする遊技機。
【請求項２】  前記突出部は、遊技機前面の外周全体で環状をなしかつ前方に突出した環状部であることを特徴とする請求項１に記載の遊技機。
【請求項３】  前記球受皿の直上に前記凹部を設けたことを特徴とする請求項１又は２に記載の遊技機。
【請求項４】  遊技機前面を前方に膨出させ、その膨出部に球受皿を形成した遊技機であって、前記膨出部の上面と連続面をなすようにして前記凹部の下面を設けたことを特徴とする請求項１又は２に記載の遊技機。
【請求項５】  前記凹部の高さは、球貸し用のノズルの上下幅よりも大きくなるように形成されていることを特徴とする請求項１乃至４のいずれかに記載の遊技機。
【請求項６】  前記突出部には、前記凹部を含むようにしてその全体にわたって多数の発光体を埋設したことを特徴とする請求項１乃至５のいずれかに記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  遊技機前面の周辺部に手前側へ突出させた突出部を設け、その突出部に、遊技機前方かつ中央寄りに指向された音声発生手段を設けたことを特徴とする遊技機。
【請求項２】  遊技機最上部に前方に突出させた突出部を設け、その突出部に、音声発生手段を斜め下向きに設置したことを特徴とする遊技機。
【請求項３】  遊技機最上部に前方に突出させた突出部を設け、その突出部の下面を斜め下向きに設けるとともに、その突出部下面に沿う向きに音声発生手段を設置したことを特徴とする遊技機。
【請求項４】  前記突出部には、同じ設置角度で左右一対の音声発生手段を設けたことを特徴とする請求項１乃至３のいずれかに記載の遊技機。
【請求項５】  前記音声発生手段はスピーカであり、前記突出部の内部空間であるスピーカ背面領域を、前記スピーカの音響空間として利用するよう構成したことを特徴とする請求項１乃至４のいずれかに記載の遊技機。
【請求項６】  前記突出部には、点灯又は点滅等による表示演出を行うための表示部を設けたことを特徴とする請求項１乃至５のいずれかに記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  遊技球を貯留するための球受皿を有し、該球受皿の底部には、遊技者等による球抜き操作部材の操作に伴い球受皿内の遊技球を球抜き穴を介して排出する球抜き機構を配設した遊技機において、
前記球抜き機構は、前記球抜き穴の開閉を同時に行う複数の開閉部材を有することを特徴とする遊技機。
【請求項２】  遊技球を貯留するための球受皿を有し、該球受皿の底部には、遊技者等による球抜き操作部材の操作に伴い球受皿内の遊技球を球抜き穴を介して排出する球抜き機構を配設した遊技機において、
前記球抜き機構は、１の球抜き穴の開閉を同時に行う一対の開閉部材を有し、これら両開閉部材は、前記球抜き操作部材の操作に伴い互いに相反する方向に移動することを特徴とする遊技機。
【請求項３】  前記一対の開閉部材は各々１カ所で回動可能に軸支され、前記球抜き操作部材の操作に伴いハサミ式に開閉動作することを特徴とする請求項２に記載の遊技機。
【請求項４】  遊技球を貯留するための球受皿を有し、該球受皿の底部には、遊技者等による球抜き操作部材の操作に伴い球受皿内の遊技球を球抜き穴を介して排出する球抜き機構を配設した遊技機において、
前記球抜き機構は、前記球抜き穴を複数備えるとともに、各球抜き穴に対応してそれぞれ開閉部材を有することを特徴とする遊技機。
【請求項５】  球受皿には押圧操作される球抜き操作部材が１カ所に設けられ、該球抜き操作部材の押圧操作により前記複数の開閉部材が開閉することを特徴とする請求項１乃至４のいずれかに記載の遊技機。
【請求項６】  前記球抜き操作部材の操作を解除した際、前記開閉部材が開位置から閉位置に自動復帰するよう構成したことを特徴とする請求項１乃至５のいずれかに記載の遊技機。
【請求項７】  前記球抜き操作部材の操作量に応じて、その都度開閉動作する開閉部材の個数を変更するよう構成したことを特徴とする請求項１乃至６のいずれかに記載の遊技機。
【請求項８】  前記球受皿は、遊技球の払出しを受けるとともにその遊技球を貯留する上皿と、その上皿に貯留しきれない余剰の遊技球を貯留する下皿とからなり、下皿に前記球抜き機構を備えたことを特徴とする請求項１乃至７のいずれかに記載の遊技機。
【請求項９】  周回可能な無端状ベルトの表面に図柄が付され、該無端状ベルト停止時の停止図柄に応じて所定数の遊技球を払い出すための払出手段とを備え、一定数個の遊技球の取込を開始条件として前記ベルトを周回させるとともに、遊技者によるストップボタンの押圧操作に伴い前記ベルトを停止させるよう構成したことを特徴とする請求項１乃至８のいずれかに記載の遊技機。
【請求項１０】  遊技機は弾球及び球払出遊技機であることを特徴とする請求項１乃至９のいずれかに記載の遊技機。
【請求項１１】  所定条件の成立に基づいて大量の遊技球の払出しを実行し得る特別遊技状態を発生する遊技機であって、前記球受皿は少なくとも１回の特別遊技状態の発生に基づいて払出される遊技球を貯留できる大きさに形成されていることを特徴とする請求項１乃至１０のいずれかに記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  遊技に際して複数の図柄を可変表示するための可変表示手段を備え、遊技球の取込を開始条件として前記図柄を可変表示させるとともに、遊技者による停止操作手段の押圧操作に伴い前記図柄が停止されるよう構成した遊技機において、
遊技機前面には前方に膨出した膨出部を設け、該膨出部の前面に前記停止操作手段を設置して停止操作手段操作面を構成する一方、同膨出部の上面を平坦面として操作補助面を構成するとともに当該操作補助面の後方に球受皿を設けたことを特徴とする遊技機。
【請求項２】  前記球受皿には、操作補助面側の前方が高く、その後方が低くなるよう高低差を設けたことを特徴とする請求項１に記載の遊技機。
【請求項３】  遊技機前面の左右の側部又は側部近傍の間にて、前記操作補助面を前記球受皿を取り囲むようにアーチ状に形成したことを特徴とする請求項１又は２に記載の遊技機。
【請求項４】  複数の停止操作手段を停止操作手段操作面に横に並べて設置したことを特徴とする請求項１乃至３のいずれかに記載の遊技機。
【請求項５】  遊技機本体に開閉可能に前面扉を設け、その前面扉に一体的に前記膨出部を設けたことを特徴とする請求項１乃至４のいずれかに記載の遊技機。
【請求項６】  前記操作補助面には、手前側又は後側に下降するように傾斜を持たせたことを特徴とする請求項１乃至５のいずれかに記載の遊技機。
【請求項７】  少なくとも停止操作手段操作面の直上において前記操作補助面の前後方向の幅を均一にしたことを特徴とする請求項１乃至６のいずれかに記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  遊技機本体の前面に前面扉を開閉可能に設けるとともに、球受皿を形成するための球受皿形成部材を前面扉よりも下方に設置した遊技機において、
前面扉及び球受皿形成部材の前面には、遊技機の外周全体で環状をなしかつ前方に突出した環状部を設け、その環状部に多数の発光体を埋設したことを特徴とする遊技機。
【請求項２】  前記環状部には、遊技機前方かつ中央寄りに向けて音声発生手段を設置したことを特徴とする請求項１に記載の遊技機。
【請求項３】  遊技機最上部における前記環状部には、斜め下向きに音声発生手段を設置したことを特徴とする請求項１に記載の遊技機。
【請求項４】  前記環状部に埋設した発光体を、一方向又は双方向に周回するよう発光制御する発光体制御手段を備えたことを特徴とする請求項１乃至３のいずれかに記載の遊技機。
【請求項５】  遊技に際して複数の図柄を可変表示するための可変表示手段を備え、遊技球の取込を開始条件として前記図柄を可変表示させるとともに、遊技者による停止操作手段の押圧操作に伴い前記図柄が停止されるよう構成したことを特徴とする請求項１乃至４のいずれかに記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  表面に図柄が付された無端状ベルトを周回させるように構成するとともに、無端状ベルトの一部を視認可能とする表示窓を設けて前記図柄を表示窓から視認できるようにした遊技機において、
前記無端状ベルトの前方には、ベルト表面に対して面発光を行う発光手段を配設したことを特徴とする遊技機。
【請求項２】  表面に図柄が付された無端状ベルトを具備し、少なくとも遊技機前面側において前記無端状ベルトを平坦状に周回させるとともに、無端状ベルトの一部を視認可能とする表示窓を設けて前記図柄を表示窓から視認できるようにした遊技機において、
前記無端状ベルトの前方には、少なくとも当該ベルトの平坦部分に対して面発光を行う発光手段を配設したことを特徴とする遊技機。
【請求項３】  表面に図柄が付された無端状ベルトを具備し、当該無端状ベルトを遊技機本体の奥行き方向にみて扁平状に周回させるように構成した遊技機において、
前記無端状ベルトの前方には、少なくとも当該ベルトの扁平部分に対して面発光を行う発光手段を配設したことを特徴とする遊技機。
【請求項４】  前記発光手段は、前記表示窓による図柄の視認範囲にて面発光を行うことを特徴とする請求項１乃至３のいずれかに記載の遊技機。
【請求項５】  前記無端状ベルトに付された図柄のうち、所定個数の図柄を同時に表示窓から視認できるようにした遊技機であって、前記発光手段は、前記表示窓から視認可能な全ての図柄を照明できるよう面発光するものであることを特徴とする請求項１乃至３のいずれかに記載の遊技機。
【請求項６】  前記発光手段は、光源と、光源からの光をパネル面に沿って導入しかつパネル面に略垂直な方向に反射させパネル外部へ発する透明な導光パネルとを有して構成されていることを特徴とする請求項１乃至５のいずれかに記載の遊技機。
【請求項７】  前記無端状ベルトを複数並列に設けた遊技機であって、各無端状ベルト毎に前記発光手段の光源を設けたことを特徴とする請求項１乃至６のいずれかに記載の遊技機。
【請求項８】  複数の無端状ベルトの停止順序を遊技者に教示するための停止順序制御を実施する遊技機であって、その停止順序に合わせて各無端状ベルトに対応する光源を順に発光させる発光制御手段を備えたことを特徴とする請求項７に記載の遊技機。
【請求項９】  遊技機本体の前面に前面扉が設けられ、その前面扉に設けられたパネル部材に表示窓が形成されるとともに、前記パネル部材の背面に重ねるようにして発光手段が組み付けられることを特徴とする請求項１乃至８のいずれかに記載の遊技機。
【請求項１０】  始動操作手段の操作に起因して前記ベルトの回転を始動させて図柄を可変表示するとともに、停止操作手段の操作に起因して或いは該停止操作手段が操作されないまま所定時間経過したことに起因して前記ベルトの回転を停止させて図柄の可変表示を停止するように構成したことを特徴とする請求項１乃至９のいずれかに記載の遊技機。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  表面に図柄が付された無端状ベルトを周回可能に収容するとともに、遊技機前面のパネル部に形成された表示窓を介して前記図柄が可変表示されるよう構成した遊技機であって、
前記パネル部の一部を、前記表示窓を含む図柄の可変表示領域よりも側方へ張り出し、その張出部分を証紙表示面としたことを特徴とする遊技機。
【請求項２】  表面に図柄が付された無端状ベルトを周回可能に収容するとともに、遊技機前面のパネル部に形成された表示窓を介して前記図柄が可変表示されるよう構成した遊技機であって、
前記パネル部のうち前記表示窓よりも上方となる位置の一部を、前記表示窓を含む図柄の可変表示領域よりも側方へ張り出し、その張出部分を証紙表示面としたことを特徴とする遊技機。
【請求項３】  前記パネル部は全体として長方形状をなし、証紙表示部が長方形状となるパネル部から側方に張出すように形成されたものであることを特徴とする請求項１又は２に記載の遊技機。
【請求項４】  前記証紙表示部は、遊技機前方より見て左右対称形状をなすことを特徴とする請求項１乃至３のいずれかに記載の遊技機。
【請求項５】  前記パネル部には、前記表示窓が形成された下側パネルと、それよりも上方に配される上側パネルとが組み付けられ、上側パネルに前記証紙表示部が形成されることを特徴とする請求項１乃至４のいずれかに記載の遊技機。
【請求項６】  前記下側パネルと前記上側パネルとを区画する仕切部材を配設したことを特徴とする請求項５に記載の遊技機。
【請求項７】  遊技機前面には前記パネル部の少なくとも側部に沿って延びかつ手前側に突出される突条を設け、突条は前記証紙表示部の外側を囲むように迂回されていることを特徴とする請求項１乃至６のいずれかに記載の遊技機。
【請求項８】  表面に図柄が付された無端状ベルトを周回可能に収容するとともに、表示窓を介して前記図柄が可変表示されるよう構成した遊技機であって、
遊技機上部には手前斜め下方に向けて傾斜配置されたパネル部を設け、そのパネル部の一部を証紙表示部としたことを特徴とする遊技機。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】
遊技者に所定の遊技価値を付与可能な遊技機において、
所定の光照射手段と、当該光照射手段から発せられる光を透過可能でかつ平面的に連続して並べられた複数の透光板とを備え、
前記複数の透光板のうち、相互に隣接し互いに色の異なる透光板の少なくとも一方にその周縁形状の一部として少なくとも１つの特定凹部が形成され、他方にその周縁形状の一部として前記特定凹部に嵌合可能な特定凸部が形成され、
相互に対応する前記特定凹部及び特定凸部が嵌合されることによって、前記連続して並べられた複数の透光板の少なくとも一部が嵌合連結されていることを特徴とする遊技機。
【請求項２】
前記透光板は弾性を有し、相互に対応する前記特定凹部及び特定凸部が嵌合される際に、両者の整合面が圧接されるように構成されていることを特徴とする請求項１に記載の遊技機。
【請求項３】
相互に対応する前記特定凹部及び特定凸部は、それぞれ対応するように蟻型に構成されていることを特徴とする請求項１又は２に記載の遊技機。
【請求項４】
前記複数の透光板のうち、少なくとも１つの透光板を固定手段により所定位置に位置決めすることにより、その他の透光板を前記嵌合連結のみにより所定位置に位置決め可能としたことを特徴とする請求項１乃至３のいずれかに記載の遊技機。
【手続補正書】
【提出日】平成16年4月27日(2004.4.27)
【手続補正１】
【補正対象書類名】明細書
【補正対象項目名】請求項１
【補正方法】変更
【補正の内容】
【請求項１】
複数の図柄を変動表示する変動表示手段と、同変動表示手段の前方に設けて変動表示手段の図柄を透視し得る前側表示手段と、内部当選役を決定する内部当選役決定手段と、前記変動表示手段の変動表示を停止させるための複数の操作手段と、前記内部当選役決定手段の決定結果と前記操作手段の操作とに基づいて前記変動表示手段の変動表示動作を停止制御する停止制御手段と、前記停止制御手段によって停止された変動表示手段の停止態様が、所定の停止態様であった場合に遊技媒体の払出を行う遊技媒体払出手段とを有する遊技機において、
前記前側表示手段を、複数のパネル状ディスプレイを重合して構成し、各パネル状ディスプレイにそれぞれ表示される画像を重ねて表示可能としたことを特徴とする遊技機。
【手続補正２】
【補正対象書類名】明細書
【補正対象項目名】００１４
【補正方法】変更
【補正の内容】
【００１４】
【課題を解決するための手段】
すなわち、請求項１に係る本発明では、複数の図柄を変動表示する変動表示手段と、同変動表示手段の前方に設けて変動表示手段の図柄を透視し得る前側表示手段と、内部当選役を決定する内部当選役決定手段と、前記変動表示手段の変動表示を停止させるための複数の操作手段と、前記内部当選役決定手段の決定結果と前記操作手段の操作とに基づいて前記変動表示手段の変動表示動作を停止制御する停止制御手段と、前記停止制御手段によって停止された変動表示手段の停止態様が、所定の停止態様であった場合に遊技媒体の払出を行う遊技媒体払出手段とを有する遊技機において、前記前側表示手段を、複数のパネル状ディスプレイを重合して構成し、各パネル状ディスプレイにそれぞれ表示される画像を重ねて表示可能とした。
【手続補正３】
【補正対象書類名】明細書
【補正対象項目名】００１９
【補正方法】変更
【補正の内容】
【００１９】
【発明の実施の形態】
本発明は、複数の図柄を変動表示する変動表示手段と、同変動表示手段の前方に設けて変動表示手段の図柄を透視し得る前側表示手段と、内部当選役を決定する内部当選役決定手段と、前記変動表示手段の変動表示を停止させるための複数の操作手段と、前記内部当選役決定手段の決定結果と前記操作手段の操作とに基づいて前記変動表示手段の変動表示動作を停止制御する停止制御手段と、前記停止制御手段によって停止された変動表示手段の停止態様が、所定の停止態様であった場合に遊技媒体の払出を行う遊技媒体払出手段とを有する遊技機において、前記前側表示手段を、複数のパネル状ディスプレイを重合して構成し、各パネル状ディスプレイにそれぞれ表示される画像を重ねて表示可能としたものである。
【手続補正４】
【補正対象書類名】明細書
【補正対象項目名】０１７４
【補正方法】変更
【補正の内容】
【０１７４】
【発明の効果】
以上、説明したように本発明によれば、前側表示手段を、複数のパネル状ディスプレイを重合して構成し、各パネル状ディスプレイにそれぞれ表示される画像を重ねて表示可能としたことにより、前側表示手段の表示についても変動表示手段による表示についても、より明瞭に表示することが可能となり、また、ときにはより多彩な表示が可能となって、遊技者にゲームの楽しみを増加させるとともに、情報報知にしても印象に強く残るように表示することが可能となる。
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  無線による所定の呼出波を受信すると記憶している固有の識別データを含む反射波を無線により所定範囲内に出力する複数のＩＣタグが、所定の可動部位および／または開放部位に設置されており、
それらの各ＩＣタグに対して呼出波を送信するとともに、各ＩＣタグが出力する反射波を受信し、かつ、呼出波を送信してから所定時間内に反射波を受信しなかった場合、あるいは、受信した反射波に含まれた識別データが予め登録されている識別データと異なっている場合に異常と判定する監視手段と、
その監視手段から送信された呼出波を外部に出力するとともに各ＩＣタグからの反射波を入力する複数のアンテナとが設けられているとともに、
前記監視手段が、分割式の収納ケースに収納されており、かつ、
その分割式の収納ケースの片方に、前記ＩＣタグの内の１つが設置されており、なおかつ、他方に、前記アンテナの内の１つが設けられており、
そのアンテナの位置が、分割式の収納ケースを組み付けた場合にＩＣタグによる反射波の出力範囲内となり、収納ケースを開放した場合にＩＣタグによる反射波の出力範囲外となるように調整されており、
前記監視手段において異常と判定された場合に、報知手段によって異常が報知されることを特徴とする遊技機。
【請求項２】  監視手段による判定結果、監視手段が反射波を受信できる状態から反射波を受信できない状態に変わった時刻、監視手段が反射波を受信できない状態から受信できる状態に変わった時刻、または、監視手段が予め登録されている識別データと異なる識別データを受信した時刻の内の少なくとも１つを含む監視履歴データを記憶する記憶手段が設けられており、
その記憶手段が、監視手段とともに、ＩＣタグとアンテナとを取り付けた分割式の収納ケースに収納されていることを特徴とする請求項１に記載の遊技機。
【請求項３】  監視履歴データを外部に出力する出力手段が設けられていることを特徴とする請求項２に記載の遊技機。
【請求項４】  作動内容を制御するための制御素子を搭載した主制御基板が設けられており、その主制御基板が、監視手段とともに、ＩＣタグとアンテナとを取り付けた分割式の収納ケースに収納されていることを特徴とする請求項１〜３のいずれかに記載の遊技機。
【請求項５】  分割式の収納ケースが、
監視手段および／または記憶手段を収納する第一ケース本体と、主制御基板を収納する第二ケース本体と、ＩＣタグを取り付けたカバー部材とからなるものであるとともに、
第一ケース本体に取付片が突設されており、かつ、その取付片にアンテナが取り付けられている一方、
第二ケース本体に挿通孔が穿設されており、
第一ケース本体の取付片が第二ケース本体の挿通孔を挿通した状態で、第一ケース本体の取付片に取り付けられたアンテナが、カバー部材に取り付けられたＩＣタグと近接した状態になっていることを特徴とする請求項４に記載の遊技機。
【請求項６】  所定条件の成立により動作する可動部材が設けられており、その可動部材にＩＣタグが取り付けられているとともに、そのＩＣタグによる反射波の出力範囲内であって前記可動部材とは異なる部位にアンテナが取り付けられていることを特徴とする請求項１〜５のいずれかに記載の遊技機。
【請求項７】  監視手段による判定結果が前回の判定から継続して正常である場合、および、監視手段による判定結果が前回の判定から継続して異常である場合には、記憶手段が監視履歴データを記憶しないことを特徴とする請求項２〜６のいずれかに記載の遊技機。
【請求項８】  監視手段が、ＩＣタグに対して呼出波を送信して異常か否かの判定を行った後、直ちに、再度、ＩＣタグに対して呼出波を送信することを特徴とする請求項１〜７のいずれかに記載の遊技機。
【請求項９】  請求項３〜８のいずれかに記載された遊技機と、その遊技機の出力手段が出力した監視履歴データの管理を行う管理コンピュータとを接続したことを特徴とする遊技機の不正監視システム。
【手続補正２】
【補正対象書類名】明細書
【補正対象項目名】０００５
【補正方法】変更
【補正の内容】
【０００５】
【課題を解決するための手段】
かかる本発明の構成のうち、請求項１に記載された発明の構成は、無線による所定の呼出波を受信すると記憶している固有の識別データを含む反射波を無線により所定範囲内に出力する複数のＩＣタグが、所定の可動部位および／または開放部位に設置されており、それらの各ＩＣタグに対して呼出波を送信するとともに、各ＩＣタグが出力する反射波を受信し、かつ、呼出波を送信してから所定時間内に反射波を受信しなかった場合、あるいは、受信した反射波に含まれた識別データが予め登録されている識別データと異なっている場合に異常と判定する監視手段と、その監視手段から送信された呼出波を外部に出力するとともに各ＩＣタグからの反射波を入力する複数のアンテナとが設けられているとともに、前記監視手段が、分割式の収納ケースに収納されており、かつ、その分割式の収納ケースの片方に、前記ＩＣタグの内の１つが設置されており、なおかつ、他方に、前記アンテナの内の１つが設けられており、そのアンテナの位置が、分割式の収納ケースを組み付けた場合にＩＣタグによる反射波の出力範囲内となり、収納ケースを開放した場合にＩＣタグによる反射波の出力範囲外となるように調整されており、前記監視手段において異常と判定された場合に、報知手段によって異常が報知される遊技機にある。
【手続補正３】
【補正対象書類名】明細書
【補正対象項目名】００８７
【補正方法】変更
【補正の内容】
【００８７】
【発明の効果】
請求項１に記載された遊技機は、複数のＩＣタグが、所定の可動部位および／または開放部位に設置されており、監視手段と複数のアンテナとが設けられているとともに、監視手段が、分割式の収納ケースに収納されており、かつ、その分割式の収納ケースの片方に、ＩＣタグの内の１つが設置されており、なおかつ、他方に、アンテナの内の１つが設けられており、そのアンテナの位置が、分割式の収納ケースを組み付けた場合にＩＣタグによる反射波の出力範囲内となり、収納ケースを開放した場合にＩＣタグによる反射波の出力範囲外となるように調整されているため、収納ケースが不正に開放された場合には、収納ケースに取り付けられたＩＣタグとアンテナとによって、直ちにその事態を検知することができるので、監視手段に記憶された監視履歴データを改竄する不正や、監視手段を破壊して監視不能としたり、Ｒ／Ｗユニットを破壊して監視不能としたり、Ｒ／Ｗユニットの監視動作を制御するプログラムを変更したりする不正を、非常に効果的に防止することができる。
また、監視手段において異常と判定された場合に、報知手段によって異常が報知されるため、ホールの係員等に、遊技機において異常が発生したことを認識させることができる。